(57)【要約】  【課題】  中抜けの発生が目立ちやすい黒文字を含む黒線画像に対して、効果的に中抜けの発生を防止することが可能なフルカラー画像形成装置を提供する。  【解決手段】  黒線画像を画像形成する場合に、黒色のトナーで現像することに加えて、黒線画像中の少なくとも２本以上の黒線の交点と黒線の中央に相当する部分に対して、シアン、イエロー、マゼンタのいずれか１つ以上のトナーを重ねて現像することにより、黒線画像の中抜けを効果的に防止することが可能となる。そして、このフルカラー画像形成装置で被転写材に転写された黒線画像は、中抜けがなくなるばかりでなく、黒色の画像品質の低下も防ぐことが可能である。【選択図】      なし【特許請求の範囲】
【請求項１】
画像信号を入力する画像信号入力手段と、
該画像信号入力手段により入力された画像信号に基づく像光を像担持体に照射する露光手段と、該露光手段によって前記像担持体上に形成される静電潜像を現像する現像手段と、を含む画像形成部と、
該画像形成部の駆動を制御する制御手段と、を備えるフルカラー画像形成装置において、
前記制御手段は、前記画像信号が黒線画像を含む場合には、該黒線画像について黒色のトナーで現像することに加えて、前記黒線画像の線の一部に他色のトナーを重ねて現像することを特徴とするフルカラー画像形成装置。
【請求項２】
前記黒線画像の線の一部は、少なくとも２本以上の黒線の交点及び／又は線の中央に相当する部分であることを特徴とする請求項１に記載のフルカラー画像形成装置。
【請求項３】
前記他色のトナーは、イエロー、マゼンタ、シアンの３色のうち少なくとも１色のトナーであることを特徴とする請求項１または請求項２に記載のフルカラー画像形成装置。
【請求項４】
前記黒色のトナーは粉砕法で製造され、前記他色のトナーは重合法で製造されることを特徴とする請求項１乃至請求項３のいずれかに記載のフルカラー画像形成装置。
【請求項５】
前記像担持体上に形成された静電潜像を前記現像手段により対応した色のトナーでトナー像に現像した後、該トナー像を多重に一次転写し、その後に被転写材に一括して転写するように設けられた中間転写部材を備えることを特徴とする請求項１乃至請求項４のいずれかに記載のフルカラー画像形成装置。
【請求項６】
前記中間転写部材がベルト材であることを特徴とする請求項５に記載のフルカラー画像形成装置。
【請求項７】
前記制御手段は、前記画像信号がモノクロ画像である場合には、前記黒線画像の線の一部に他色のトナーを重ねて現像することは行わず、フルカラー画像を形成する場合に比べ、黒トナーのトナー量を少なくして現像することを特徴とする請求項１乃至請求項６のいずれかに記載のフルカラー画像形成装置。
【発明の詳細な説明】
【技術分野】
【０００１】
本発明は、電子写真方式によって画像形成を行う複写機、プリンタ、ファックス等のフルカラー画像形成装置に関し、より詳細には、中抜けを防止することができるフルカラー画像形成装置に関する。
【背景技術】
【０００２】
電子写真方式の複写機やプリンタ等の画像形成装置においては、感光体上に現像したトナー像を転写する際に、文字やラインの中央部分等が転写されずに残る所謂「中抜け」と呼ばれる現象が発生することが知られている。この現象は、転写プロセスにおいて発生する押圧力と関係し、厚紙やＯＨＰメディア等の厚めの用紙に対して感光体から直接トナーを移動する直接転写の時や、樹脂製のベルトを用いた中間転写ベルトにトナーを転写する時には、押圧力が大きくなるために中抜けが発生し易い。また、中抜けはトナーの凝集により発生し、特に、文字や細線の交点部分等はエッジ効果の影響でトナーの付着量が大きくなるので、トナーの凝集が発生し易く中抜けが起きやすい。
【０００３】
前述のように中抜けはトナーの凝集が関係していることから、トナーに関わる因子との関係も認められており、特にトナー粒子の形状は中抜けと関係することが知られている。すなわち、一般にトナー粒子の形状が丸いとされる、重合法で得られるトナーを用いた場合には中抜けが発生しにくくなり、特に、懸濁重合法で得られる真球に近いトナーを用いた場合は、中抜けの発生確率がかなり下がる傾向にある。しかしながら、重合トナーを用いても中抜けが発生する場合はある。そして、感光体上の残留トナーのクリーニングを、ゴムブレードを用いて行うシステムでは、丸い形状の粒子で構成されるトナーは、トナー粒子の形状が丸いほど、感光体とゴムブレードとのニップ部へのトナー侵入性が増すことから、クリーニングしにくくなるという欠点も有する。
【０００４】
これらの点を鑑み、中抜けを防止する対策がいくつか提案されている。例えば、特許文献１においては、感光体に潤滑剤を塗布し、更に同様の潤滑剤を含有するトナーを用いて現像を行う画像形成装置が提案されている。しかしながら、このような画像形成装置は構成上のコストが高くなる。また、潤滑剤として用いられる脂肪酸金属塩は吸湿性が高いために、例えば、アモルファスシリコン感光体を用いた画像形成装置では、吸湿により感光体表面の表面抵抗が下がるために画像流れが発生し易くなる等の不具合が生じる。
【０００５】
また、感光体上に形成されたトナー像を転写する際に、感光体上の現像トナーにかかる押圧力を抑制することができる画像形成装置についても提案がなされている。例えば、特許文献２では、中間転写ドラムが円筒形上に形成された剛性体の導電性シリンダと、その導電性シリンダの外周面上に設けられた少なくとも２層以上の導電性弾性層と、その導電性弾性層の外周面上に塗布された離型層と、からなるように構成された画像形成装置が提案されている。中間転写ドラムをこのような構造とすることで、感光体ドラムと中間転写ドラムの組合せでも最大ニップ圧の増大を引き起こすことがないので、中抜けを防止することができる。
【０００６】
また、特許文献３では、中間転写体を構成する部材の中間層にその硬度がＪＩＳ  Ａ４０°以上且つ８０°以下の弾性部材を用いて、転写プロセスにおいて発生する押圧力を抑制可能とし、中抜けを防止できる画像形成装置を提案している。しかしながら、これらの画像形成装置は中間転写ドラムの構成を基本としている。このため、画像形成装置のコンパクト設計等の理由から現在主流となっている中間転写ベルトの構成に特許文献１または特許文献２のような構成を応用しても、ベルト材が弾性体ではベルトの伸び等が発生し易く、色ずれ等の問題が発生する。
【０００７】
なお、中抜けは、フルカラー画像形成装置において、文字や細線等の色を問わず、一般的に見られる現象であるが、２色以上のトナーを重ねて形成される文字等では中抜けが発生する確率が低い傾向にあり、単色のカラートナーのみで形成される文字等では、中抜けが発生しても、その色合いのために中抜けが目立ちにくい傾向がある。このため、黒色のトナー単色を現像する場合に比べ、他の色を現像する場合は中抜け対策の必要性が低い傾向にあり、黒色の文字等について、特に中抜け対策が必要とされやすい。
【０００８】
【特許文献１】特開２００３−２６３０６９号公報
【特許文献２】特開２００１−６００４４号公報
【特許文献３】特開平７−２６１５６８号公報
【発明の開示】
【発明が解決しようとする課題】
【０００９】
上記問題点等に鑑み、本発明の目的は、従来から提案されているフルカラー画像形成装置の構成に大きな変更を行わず、更に画質の低下を抑制しつつ、中抜けの対策が特に必要とされる黒文字を含む黒線画像に対して、効果的に中抜け発生を防止することが可能なフルカラー画像形成装置を提案することである。また、本発明の他の目的は、装置のコンパクト設計等の理由から主流となっている中間転写ベルトを備えたフルカラー画像形成装置に対して、中抜けを防止可能にした装置を提案することである。
【課題を解決するための手段】
【００１０】
上記目的を達成するために本発明は、画像信号を入力する画像信号入力手段と、該画像信号入力手段により入力された画像信号に基づく像光を像担持体に照射する露光手段と、該露光手段によって前記像担持体上に形成される静電潜像を現像する現像手段と、を含む画像形成部と、該画像形成部の駆動を制御する制御手段と、を備えるフルカラー画像形成装置において、前記制御手段は、前記画像信号が黒線画像を含む場合には、該黒線画像について黒色のトナーで現像することに加えて、前記黒線画像の線の一部に他色のトナーを重ねて現像することを特徴としている。なお、線画像とは、文字や図形など線によって構成されている画像のことをいい、黒線画像とは黒色の線画像をいう。
【００１１】
また、本発明は、上記構成のフルカラー画像形成装置において、前記黒線画像の線の一部は、少なくとも２本以上の黒線の交点及び／又は線の中央に相当する部分であることを特徴としている。
【００１２】
また、本発明は、上記構成のフルカラー画像形成装置において、前記他色のトナーは、イエロー、マゼンタ、シアンの３色のうち少なくとも１色のトナーであることを特徴としている。
【００１３】
また、本発明は、上記構成のフルカラー画像形成装置において、前記黒トナーは粉砕法で製造され、前記他色のトナーは重合法で製造されることを特徴としている。
【００１４】
また、本発明は、上記構成のフルカラー画像形成装置において、前記像担持体上に形成された静電潜像を前記現像手段により対応した色のトナーでトナー像に現像した後、該トナー像を多重に一次転写し、その後に被転写材に一括して転写するように設けられた中間転写部材を備えることを特徴としている。
【００１５】
また、本発明は、上記構成のフルカラー画像形成装置において、前記中間転写部材がベルト材であることを特徴としている。
【００１６】
また、本発明は、上記構成のフルカラー画像形成装置において、前記制御手段は、前記画像信号がモノクロ画像である場合には、前記黒線画像の線の一部に他色のトナーを重ねて現像することは行わず、フルカラー画像を形成する場合に比べ、黒トナーのトナー量を少なくして現像することを特徴としている。なお、モノクロ画像とは黒トナーのみで形成される画像のことを指す。
【発明の効果】
【００１７】
本発明の第１の構成によれば、従来から提案されているフルカラー画像形成装置の構成に大きな変更を行うことなく、中抜け対策が必要とされる黒線画像に対して、黒線画像の画質の低下を抑えつつ、中抜けの発生を防止できる。
【００１８】
また、本発明の第２の構成によれば、上記第１の構成のフルカラー画像形成装置において、中抜けが特に発生しやすい黒線の交点と黒線の中央部に他色のトナーを現像するために、効果的に中抜けの発生を防止ができる。
【００１９】
また、本発明の第３の構成によれば、上記第１または上記第２の構成のフルカラー画像形成装置において、フルカラー画像形成装置に一般的に備えられている、イエロー、マゼンタ、シアンのトナーを用いて効果的に中抜けの防止が可能となる。特に、イエローとマゼンタとシアンとの３色を混ぜ合わせると黒色を作製できることから、この３色のトナーを同時に他色のトナーとして用いると、被転写材である紙等に転写された黒線画像が、黒トナーのみを用いた場合に最も近いと認識される状態で、中抜けの防止が可能となる。
【００２０】
また、本発明の第４の構成によれば、上記第１乃至上記第３の構成のフルカラー画像形成装置において、トナーの粒子形状が不定形で、重合法で製造されたトナーに比べ球形のトナー粒子が相対的に少ないために、中抜けが生じやすい粉砕法で製造されたトナーを黒トナーとして用いた場合でも、黒線画像に対して、効果的に中抜け発生を防止することが可能となる。
【００２１】
また、本発明の第５の構成によれば、上記第１乃至上記第４のいずれかの構成のフルカラー画像形成装置において、中間転写部材を備えるフルカラー画像形成装置に対しても、装置の構成に大きな変更を行うことなく黒線画像に対して、効果的に中抜け発生を防止することが可能となる。
【００２２】
また、本発明の第６の構成によれば、上記第５の構成のフルカラー画像形成装置において、装置のコンパクト設計等の理由から主流となっている中間転写ベルトを備えたカラー画像形成装置に対して、効果的に中抜けの防止が可能となる。
【００２３】
また、本発明の第７の構成によれば、上記第１乃至上記第６のいずれかの構成のフルカラー画像形成装置において、モノクロ画像を形成する場合には黒トナーを有する現像装置のみを使用して画像形成を行うため、モノクロ画像形成時の装置生産性を上げることが可能となる。そして、モノクロ画像の時は黒トナーのトナー量を少なくしているために、中抜けが防止できる。一方、フルカラー画像を形成する際には、黒線画像の線の一部に他色のトナーを現像するので、この場合も中抜けを防止できる。すなわち、装置全体としての生産性を上げつつ、黒線画像の中抜けを効果的に防止することが可能となる。
【発明を実施するための最良の形態】
【００２４】
以下に本発明の実施形態を、図面を参照して説明する。図１は、本発明が適用されたフルカラー画像形成装置の実施形態であり、ここでは一例としてロータリー現像式のフルカラー複写機を示している。なお、本発明は、当然、タンデム方式の画像形成装置にも適用できる。
【００２５】
フルカラー画像形成装置１では、コピー動作を行う場合、装置本体内において、図中の矢印Ａ方向に回転する感光体ドラム２が帯電ユニット３により一様に帯電され、画像読取部５で読み取られた原稿画像データに基づく露光ユニット４からのレーザビームにより感光体ドラム２上に静電潜像が形成される。
【００２６】
６は現像剤（以下、トナーという）を感光体ドラム２上に供給するロータリー式の現像ユニットである。現像ユニット６は、現像装置とトナー容器が一体化されたシアン、マゼンタ、イエロー及びブラックの各色の現像カートリッジ６ａ、６ｂ、６ｃ及び６ｄを備えており、現像カートリッジ６ａ〜６ｄを感光体ドラム２に対向する位置に順次回転移動させることにより、感光体ドラム２上の静電潜像にトナーが付着されて各色のトナー像が形成される。
【００２７】
７はトナー像が転写される中間転写ベルトであり、感光体ドラム２に当接しながら図示しない駆動手段により矢印Ｂ方向に回転する。中間転写ベルト７にはポリカーボネート等の樹脂製のシートが用いられ、その両端部を互いに重ね合わせて接合しエンドレス形状にしたベルトや、継ぎ目を有しない（シームレス）ベルトが用いられる。
【００２８】
ユーザにより画像形成開始が入力されると、所定のタイミングにより感光体ドラム２上にシアンのトナー像の形成を行う。そして、中間転写ベルト７に所定の転写電圧で電界が付与された後、一次転写ローラ８ａにより感光体ドラム２上のシアンのトナー像が中間転写ベルト７上に転写される。その後、感光体ドラム２の表面に残留したトナーがクリーニング手段（図示せず）により除去され、現像ユニット６は所定量回転して、上記と同様に今度はマゼンタのトナー像が感光体ドラム２上に形成され、中間転写ベルト７上に転写される。
【００２９】
以下、上述と同様の方法により、感光体ドラム２によってそれぞれイエロー及びブラックのトナー像が中間転写ベルト７上に転写される。これらの４色の画像は、所定のフルカラー画像形成のために予め定められた所定の位置関係をもって形成される。
【００３０】
上記のようにトナー像が形成された中間転写ベルト７に向けて、用紙９が給紙機構１０から給紙ローラ１１、用紙搬送路１２及びレジストローラ対１３を経由して搬送され、二次転写ローラ８ｂにより中間転写ベルト７の表面に形成されたトナー像が用紙９に転写される。そして、トナー像が転写された用紙９は定着ローラ対１４ａを有する定着部１４に搬送されてトナー像が定着される。定着部１４を通過した用紙は用紙排出部１５に排出される。
【００３１】
また、給紙機構１０はフルカラー画像形成装置１の下部に位置し、用紙９を収納する給紙カセット１０ａ、１０ｂ、１０ｃと、その上方に設けられるスタックバイパス（手差しトレイ）１０ｄとを備えている。
【００３２】
図２は、本実施形態のフルカラー画像形成装置１の構成を示すブロック図である。図１と共通する部分には同一の符号を付して説明を省略する。図２において、フルカラー画像形成装置１は、画像読取部５、感光体ドラム２と現像ユニット６と中間転写ベルト７とを有する画像形成部１６、制御部２１、メインモータ２２、操作部２３、記憶部２４を備えている。
【００３３】
画像読取部５は、複写時に原稿を照明するスキャナランプや原稿からの反射光の光路を変更するミラーが搭載された走査光学系、原稿からの反射光を集光して結像する集光レンズ、及び結像された画像光を電気信号に変換するＣＣＤ等から構成される。
【００３４】
制御部２１は、操作部２３からの信号に基づき画像読取部５、画像形成部１６等のフルカラー画像形成装置１各部の動作制御を行う。また、画像読取部５で読取られた情報に基づき、後述する中抜け防止策を行うように画像形成部１６の動作制御も行う。
【００３５】
メインモータ２２は、制御部２１からの制御信号に応じて感光体ドラム２、転写ローラ８ａ及び８ｂ（図１参照）、定着ローラ対１４ａ（図１参照）等の駆動を行う。  操作部２３は、ユーザが装置の機能や印刷条件等の設定を行う操作キーと、設定条件や装置の状態等を表示する表示部（いずれも図示せず）とから構成される。記憶部２４は、制御部２１により用いられるフルカラー画像形成装置１各部の制御プログラムを記憶する。
【００３６】
次に、フルカラー画像形成装置１において、黒線画像の中抜けを防止する第１実施形態について説明する。本第１実施形態では、中抜けが目立ち易い黒線画像について黒色のトナーで現像をすることに加えて、黒線画像の一部に他色のトナーを現像することで、中抜け防止策を実施できるようになっている。中抜け防止策の具体的流れについて、図２を参照しながら図３のフローチャートを用いて説明する。
【００３７】
まず、画像読取部５で読取られた画像信号が制御部２１に入力される（ステップＳ１）。そして、入力された画像信号情報が黒線画像を含むか否かが確認される（ステップＳ２）。この時、黒線画像を含むと確認された場合には、黒線画像について黒色のトナーで現像することに加えて、黒線画像の線の一部に他色のトナーを重ねて現像するように、制御部２１により画像信号が追加される（ステップＳ３）。一方、黒線画像を含まないと確認された場合には、画像信号の追加は行われない。この後、制御部２１から出力された信号に基づいて、画像形成部１６により作像が開始される（ステップＳ４）。
【００３８】
なお、中抜け防止のために他色のトナーを現像する位置としては、中抜けの発生は線と線の交点や線の中央で起こり易いために、少なくとも２本の線で作られる交点や線の中央に他色のトナーを現像するようにするのが好ましい。
【００３９】
本第１実施形態では、例えば、黒線画像の中抜けを防止するために、黒線画像の線の一部に現像する他色のトナーとして、イエロー、マゼンタ、シアンの３色のうち、少なくとも１色のトナーを用いることができる。ただし、このことは、先に述べた他色のトナーが、この３色に限定される趣旨ではない。なお、他色のトナーとしては、イエロー、マゼンタ及びシアンの３色のトナーを用いるか、又はシアンの１色のみを用いるのが好ましく、イエロー、マゼンタ及びシアンの３色のトナーを用いるのがより好ましい。
【００４０】
イエローとマゼンタとシアンとを、各々所定の条件で現像し、転写ベルト７上で重ね合わせると黒色が得られる。このため、例えば、黒線画像の中抜け部分にこれら３色を重ね合わせて被転写材である紙等に転写すると、黒色トナーのみで画像形成した場合に近い色の画像が得られる。そして、中抜けが発生せずに、これらの３色と黒色が重なっても、黒線画像の質の低下が少ない。また、シアントナーは黒トナーと重ねると、一般的な色の明るさ（Ｌｉｇｈｔｎｅｓｓ）を表すＬ値の値が小さくなる、即ち暗くなることから、黒線画像の線の一部にシアントナーを現像した場合にも、被転写材である紙等に転写した後の画像は、黒色トナーのみで画像形成した場合に比較的近い色の画像となる。
【００４１】
本第１実施形態では、例えば、黒トナーには粉砕法で製造されたトナーを、カラートナーには重合法で製造されたトナーを用いることができる。これは、図４に示すように、中抜けは粉砕法で製造された円形度の低いトナーを用いた場合に起こりやすく、重合法で製造される円形度の高いトナーを用いた場合には比較的起こりにくいことから、このトナーの組合せで本発明の効果が最も得られるからである。ただし、トナーの組合せは、この組合せに限られる趣旨ではなく、例えば、黒トナーもカラートナーも粉砕法で製造されたトナーとする組合せや、黒トナーもカラートナーも重合法で製造されたトナーとする組合せ等としてもよい。
【００４２】
なお、図４は、従来のフルカラー画像形成装置で画像形成した場合おけるトナー粒子の平均円形度と中抜け比率の関係を示しており、円形度とは、粒子像と同じ投影面積を持つ円の周囲長を、粒子投影像の周囲長で割った値で、円形度の測定はフロー式粒子像分析装置（シスメックス社製、ＦＰＩＡ−２１００）を用いて行われたものである。また、トナー粒子の形状はある程度ばらつきがあり、トナー中のトナー粒子の円形度は分布を有していることから、１回の測定操作で得られる全測定粒子の円形度を平均した平均円形度を横軸にしている。中抜け比率は１ページ内に線の交点を１００個有する評価画像において、中抜けの発生確率を評価したものである。
【００４３】
本第１実施形態におけるフルカラー画像形成装置１は中間転写ベルト７を備えているが、例えば、中間転写ベルト７の代わりに中間転写ドラムを備えた装置でもよい。また、中間転写ベルトや中間転写ドラム等の中間転写部材を設けずに、感光体ドラム２上のトナー像を直接、被転写材である紙などに転写する方式の画像形成装置でもよく、いずれの画像形成装置であっても本発明の目的を達成できる。ただし、本発明は押圧力の増大で中抜けが発生しやすい転写ベルト方式でも中抜けを防止できるため、転写ベルト方式のフルカラー画像形成装置に本発明を用いた場合が、より中抜け防止効果を発揮できると言える。
【００４４】
次に、第１の実施形態と同様の構成のフルカラー画像形成装置であって、モノクロ画像とフルカラー画像の場合とで、感光体ドラム２への黒色の現像条件を変更して画像形成を行う第２実施形態について説明する。中抜けは、前述のように感光体ドラム２へ現像されるトナーの付着量が多くなると発生し易いため、画像形成時に現像するトナーの量を減らすことで中抜けの防止することも可能である。そして、文字を中心としベタ画像を含まない場合は、このようにしても画像品質を保つことが可能である。しかし、ベタ画像の場合は画像形成時に現像するトナーの量を減らすと画像品質の低下が起こる。
【００４５】
この点を鑑み、第２実施形態のフルカラー画像形成装置では、文字が中心で殆どベタ画像を含まない場合が多いモノクロ画像については、黒現像条件でトナー量を下げる構成とし、黒線画像の線の一部に他色のトナーを追加して現像する構成とはしていない。一方、フルカラー画像の場合は黒現像条件でトナー量を下げることはせず、ベタ画像の品質を保持できるようにしつつ中抜けを防止するために、黒線画像の線の一部に他色のトナーを追加して現像する構成となっている。
【００４６】
第２実施形態のフルカラー画像形成装置における、中抜け防止策の具体的流れについて図２を参照しながら図５を用いて説明する。まず、画像読取部５で読取られた画像信号が制御部２１に入力される（ステップＳ１）。そして、入力された画像信号がフルカラー画像であるか否かが確認される（ステップＳ２）。フルカラー画像でない場合は、モノクロ画像であると判断され、制御部２１はモノクロ現像用の黒現像条件を設定する（ステップＳ３）。
【００４７】
一方、フルカラー画像である場合には、入力された画像信号情報が黒線画像を含むか否かが確認される（ステップＳ４）。この時、黒線画像を含むと確認された場合には、黒線画像について黒色のトナーで現像することに加えて、黒線画像の線の一部に他色のトナーを重ねて現像するように、制御部２１により画像信号が追加される（ステップＳ５）。一方、黒線画像を含まないと確認された場合には、画像信号の追加は行われない。この後、制御部２１から出力された信号に基づいて、画像形成部１６によりモノクロ画像またはフルカラー画像がそれぞれの現像条件で作像開始される（ステップＳ６）。
【００４８】
なお、本第２実施形態のフルカラー画像形成装置は、モノクロ画像の場合とフルカラー画像の場合とで、中抜け防止のために制御部２１が行う処理方法が変わることを特徴とするものである。従って、本発明の目的を逸脱しない範囲であれば、第２実施形態の構成において、モノクロ画像であるかフルカラー画像であるかを制御部２１で判断し、それに対応する現像条件とする構成以外については、第１実施形態の場合と同様の構成とすることが可能であることはいうまでもない。
【産業上の利用可能性】
【００４９】
本発明では、黒線画像の線内部に他色のトナーを追加して現像することで中抜けを防止できるようにしているために、従来のフルカラー画像形成装置の構成に大きな変更を加えずに、黒文字を含む黒線画像に対して効果的に中抜けを防止することができる。
【００５０】
本発明では、中抜け防止のために、黒線画像の線の一部に現像する他色のトナーの場所を中抜けの発生しやすい部分に限定することも可能であるで、装置運転時の経済効率を高めた上で的確に中抜けの防止が可能となる。
【００５１】
本発明では、中抜け防止のために追加現像する他色のトナーの色を選択可能であるために、画像品質を低下させずに、効果的に中抜けの対策が可能となる。
【００５２】
本発明では、中抜けが発生し易い粉砕法で製造されるトナーを用いた場合でも、また、コンパクト化等の要求から使用される転写ベルトを備えたフルカラー画像形成装置の場合でも効果的に中抜けの防止が可能である。
【図面の簡単な説明】
【００５３】
【図１】は、本発明のフルカラー画像形成装置の構成を示す概略図である。
【図２】は、本発明のフルカラー画像形成装置の構成を示すブロック図である。
【図３】は、第１実施形態で用いられる中抜け防止策を実施するための制御を示すフローチャートである。発明の画像形成装置の構成を示すブロック図である。
【図４】は、トナーの平均円形度と中抜け率の関係を示したグラフである。
【図５】は、第２実施形態で用いられる中抜け防止策を実施するための制御を示すフローチャートである。
【符号の説明】
【００５４】
１              フルカラー画像形成装置
２              感光体ドラム（像担持体）
３              帯電ユニット
４              露光ユニット（露光手段）
５              画像読取部（画像信号入力手段）
６              現像ユニット（現像手段）
６ａ            シアンの現像カートリッジ
６ｂ            マゼンタの現像カートリッジ
６ｃ            イエローの現像カートリッジ
６ｄ            ブラックの現像カートリッジ
７              中間転写ベルト（中間転写部材）
１６            画像形成部
２１            制御部（制御手段）
【図１】
2006227326.tif 000002
【図２】
2006227326.tif 000003
【図３】
2006227326.tif 000004
【図４】
2006227326.tif 000005
【図５】
2006227326.tif 000006